(57)【要約】【課題】器具本体に対して回動可能に設けられているＬＥＤユニットの点灯時に、グリースが軟化して流出するのを防止できるＬＥＤ照明器具を提供する。【解決手段】略半円筒形状の回動体３１は、その凸面３２が器具本体２０に設けられた略半円筒形状の凹面２５に沿って回動するので、灯具本体３１の前面３３に設けられているＬＥＤユニット３６が回動して、照射方向を変えることができる。このとき、灯具本体３１の凸面３２と、器具本体２０の凹面２５との間に接触部材５１Ａを設け、接触部材５１Ａにグリース５２を含浸させたので、ＬＥＤユニット３６の点灯時に、グリース５２が軟化して流出するのを防止できる。【選択図】図３
2014063608.tif 000002
【特許請求の範囲】
【請求項１】
略半円筒形状の凹面を有する器具本体と、
前記凹面に対向して回動可能な略半円筒形状の凸面を有する回動体と、
前記回動体における前記凸面と反対側の前面に設けられたＬＥＤユニットと、を備え、
前記凹面と前記凸面との間に接触して設けられた接触部材と、
前記接触部材に含浸されたグリースと、を有するＬＥＤ照明器具。
【請求項２】
請求項１に記載のＬＥＤ照明器具において、
前記接触部材が繊維であるＬＥＤ照明器具。
【請求項３】
請求項１または請求項２に記載のＬＥＤ照明器具において、
前記接触部材の両端に、前記グリースの流出を防止するシール部材を有するＬＥＤ照明器具。
【発明の詳細な説明】
【技術分野】
【０００１】
本発明は、回動自在なＬＥＤユニットを有するＬＥＤ照明器具に関するものである。
【背景技術】
【０００２】
従来、ＬＥＤ照明器具で所望の方向を照明できるように、光源となるＬＥＤユニットを回転できるようにしたＬＥＤ照明器具が知られている（例えば、特許文献１参照）。
図６に示すように、前述した特許文献１に記載のＬＥＤ照明器具１００は、直方体形状の器具本体１０１と、直方体形状の灯具ユニット１０３と、電源ユニット１０４と、ブラケット１０６を有する。
灯具ユニット１０３は、複数のＬＥＤユニット１０２を有する。ブラケット１０６は、電源端子台１０５を有する。
【０００３】
器具本体１０１においては、その下方側板１０７内に、アーム１０８を収容している。アーム１０８は回動軸１０９を有しており、回動軸１０９は、灯具ユニット１０３を回動可能に支持している。
従って、灯具ユニット１０３を回動させることによってＬＥＤユニット１０２の照射方向を変更可能にしている。
【先行技術文献】
【特許文献】
【０００４】
【特許文献１】特開２０１０−２５１６１７号公報（第１３図）
【発明の概要】
【発明が解決しようとする課題】
【０００５】
ところで、前述したような、灯具ユニットを回動させることによって照射方向を変えるＬＥＤ照明器具においては、回動軸部にグリース等の潤滑剤を塗布することが知られている。
また、灯具ユニットと器具本体との間に摺動部を有する場合には、回動軸のみに潤滑剤を塗布するだけでなく、灯具ユニットと器具本体との間の摺動部に潤滑剤を介して接触させることにより、熱伝導性を改善することが行われている。
しかしながら、ＬＥＤユニットが点灯発熱して灯具ユニットの温度が上昇すると、摺動部に塗布したグリースが軟化して流出し、ＬＥＤユニットから器具本体への熱伝導が悪くなるという問題があった。
【０００６】
本発明は、従来の問題を解決するためになされたもので、器具本体に対して回動可能に設けられているＬＥＤユニットの点灯時に、グリースが軟化して流出するのを防止できるＬＥＤ照明器具を提供することを目的とする。
【課題を解決するための手段】
【０００７】
本発明のＬＥＤ照明器具は、略半円筒形状の凹面を有する器具本体と、前記凹面に対向して回動可能な略半円筒形状の凸面を有する回動体と、前記回動体における前記凸面と反対側の前面に設けられたＬＥＤユニットと、を備え、前記凹面と前記凸面との間に接触して設けられた接触部材と、前記接触部材に含浸されたグリースと、を有するものである。
【０００８】
また、本発明のＬＥＤ照明器具は、前記接触部材が繊維であるものである。
【０００９】
さらに、本発明のＬＥＤ照明器具は、前記接触部材の両端に、前記グリースの流出を防止するシール部材を有するものである。
【発明の効果】
【００１０】
本発明は、ＬＥＤユニットが取り付けられた回動体の凸面と、器具本体の凹面との間に接触部材を設け、接触部材にグリースを含浸させたので、ＬＥＤユニットの点灯時に、グリースが軟化して流出するのを防止できるという効果を有するＬＥＤ照明器具を提供できる。
【図面の簡単な説明】
【００１１】
【図１】本発明に係る第１実施形態のＬＥＤ照明器具の斜視図
【図２】本発明に係る第１実施形態のＬＥＤ照明器具の分解斜視図
【図３】図１におけるＩＩＩ−ＩＩＩ位置の断面図
【図４】グリースの温度に対する粘度の変化を示すグラフ
【図５】本発明に係る第２実施形態のＬＥＤ照明器具における図３相当の断面図
【図６】従来のＬＥＤ照明器具の分解斜視図
【発明を実施するための形態】
【００１２】
（第１実施形態）
以下、本発明に係る第１実施形態のＬＥＤ照明器具について、図面を用いて説明する。
図１および図２に示すように、本発明に係る第１実施形態のＬＥＤ照明器具１０Ａは、例えば被取付面である天井面１１(図３参照)や壁面に設けられた取付孔１２に埋め込んで使用することができる。
なお、以下の説明においては、照射方向を下方として説明する。
【００１３】
ＬＥＤ照明器具１０Ａは、取付孔１２に取り付けられる器具本体２０と、器具本体２０内に回動可能に収容される灯具ユニット３０と、電源装置４０を有する。
器具本体２０は例えばアルミダイキャスト製で、下方に開口した(開口２１)矩形箱状を呈しており、内部に凹部２４を有する。また、器具本体２０の外周面には、複数の放熱フィン６０が設けられている。
凹部２４は、略半円筒形状の凹面２５を有する。凹部２４の長手方向両端には、略半円形状の端板２６が設けられており、端板２６における半円形状の円の中心位置には、貫通孔２７が設けられている。貫通孔２７は、器具本体２０を貫通して、外部と凹部２４とを連通する。
【００１４】
開口２１の周囲には矩形の枠２２を有する。枠２２は、器具本体２０を取付孔１２に取り付けた際に、天井面１１の下面に当接して下方に露出する（図３参照）。
器具本体２０の外周面には、複数(ここでは、４個)の取付ばね２３が設けられている。取付ばね２３は、下方(図２において矢印Ａ参照)に付勢されている。
従って、器具本体２０は、枠２２と取付ばね２３とによって天井面１１を挟むことにより、取り付けられる。
【００１５】
器具本体２０の上部には電源装置収容空間２９（図３参照）が設けられており、電源装置４０を収容して、上から蓋４１が取り付けられて覆われる。
蓋４１の長手方向一端部の下面には、端子台４２が取り付けられており、器具本体２０から外側に突出している。
【００１６】
灯具ユニット３０は、例えばアルミダイキャスト製の略半円柱状をした灯具本体（回動体）３１を有する。
灯具本体３１は、上側に略半円筒形状の凸面３２を有し、下側に平面状の取付面（前面）３３を有する。
図３に示すように、凸面３２の半径Ｒ２は、器具本体２０の凹面２５の半径Ｒ１よりも小さい。また、長手方向両端の端面３４には、ねじ孔３５が設けられている。
取付面３３には、長手方向に沿って複数のＬＥＤユニット３６およびレンズ３７が取り付けられている。
【００１７】
灯具本体３１は、器具本体２０の外側からねじ２８を貫通孔２７に通し、灯具本体３１のねじ孔３５にねじ込む。
これにより、灯具本体３１は器具本体２０の凹部２４において、回動可能に取り付けられる。
【００１８】
図３に示すように、器具本体２０の凹面２５と灯具本体３１の凸面３２との間には、凹面２５の半径Ｒ１と、凸面３２の半径Ｒ２の差（Ｒ１−Ｒ２）に該当する間隔で隙間５０が形成される。
隙間５０には、接触部材５１Ａが凹面２５および凸面３２に接触して取り付けられている。接触部材５１Ａとしては、銅の金属繊維からなる不織布を用いることができる。また、接触部材５１Ａには、グリース５２が含浸されている。
図４に示すように、グリース５２は、温度が高くなると、ちょう度が高くなって軟らかくなり、流動性を増す。
【００１９】
図３に示すように、接触部材５１Ａの隙間５０に沿った両端には、例えばゴム製のシール部材５３が取り付けられている。
図３においては、シール部材５３が器具本体２０側の凹面２５に取り付けられているので、接触部材５１Ａは凹面２５側に固定された状態で作用し、灯具本体３１が回動すると、灯具本体３１の凸面３２に対して摺動する。
一方、図示はしないが、シール部材５３を灯具本体３１の凸面３２に取り付けることもできる。
この場合には、接触部材５１Ａは凸面３２に固定された状態で作用するので、灯具本体３１が回動すると、凸面３２と一体で回動し、器具本体２０の凹面２５に対して摺動する。
【００２０】
本発明のＬＥＤ照明器具１０Ａの作用効果について説明する。
略半円筒形状の灯具本体３１は、その凸面３２が器具本体２０に設けられた略半円筒形状の凹面２５に沿って回動するので、灯具本体３１の取付面３３に設けられているＬＥＤユニット３６が回動して、照射方向を変えることができる。
このとき、灯具本体３１の凸面３２と、器具本体２０の凹面２５との間に接触部材５１Ａを設けて、接触部材５１Ａにグリース５２を含浸させたので、ＬＥＤユニット３６の点灯時に発する熱によってグリース５２が軟化して流出するのを防止できる。
【００２１】
また、ＬＥＤユニット３６が発生した熱はアルミダイキャスト製の灯具本体３１に伝わる。灯具本体３１の熱は、銅の金属繊維からなる不織布である接触部材５１Ａおよびグリース５２を介して、アルミダイキャスト製の器具本体２０に伝わる。そして、器具本体２０の放熱フィン６０から空気中へ放熱される。
なお、接触部材５１Ａを構成している銅の熱伝導率は４００（Ｗ／ｍ・Ｋ）であり、グリース５２の熱伝導率である０．２〜３（Ｗ／ｍ・Ｋ）より大きい。
このため、接触部材５１Ａを設けずにグリース５２のみを充填した場合よりも、接触部材５１Ａ設けた場合の方が、接触部材５１Ａを介して灯具本体３１の熱を器具本体２０へ効率よく伝えることができ、放熱性を向上させることができる。
【００２２】
また、接触部材５１Ａが繊維なので、グリース５２を含浸させやすい。
【００２３】
さらに、接触部材５１Ａの両端に、シール部材５３を設けたので、ＬＥＤユニット３６によって昇温し、粘性が低下したグリース５２の流出を確実に防止できる。
また、器具本体２０と灯具本体３１との間の隙間５０に、埃が入るのを防止できる。
【００２４】
（第２実施形態）
次に、本発明に係る第２実施形態のＬＥＤ照明器具について説明する。
なお、前述した第１実施形態に係るＬＥＤ照明器具１０Ａと共通する部位には同じ符号を付して、重複する説明を省略することとする。
図５に示すように、第２実施形態に係るＬＥＤ照明器具１０Ｂでは、接触部材５１Ｂとして、線接触のローラや点接触のボールを設けた。ローラおよびボールは、熱伝導性の良い材質で形成されている。
【００２５】
このようにしても、前述した第１実施形態にかかるＬＥＤ照明器具１０Ａと同様の作用および効果を得ることができる。
さらに、接触部材５１Ｂとしてローラやボールを用いることにより摩擦抵抗が低減するので、灯具本体３１が器具本体２０に対して一層回動し易くなる。
【００２６】
本発明のＬＥＤ照明器具は、前述した各実施形態に限定されるものでなく、適宜な変形、改良等が可能である。
すなわち、前述した各実施形態では、接触部材５１Ａ、５１Ｂとして、銅の金属繊維からなる不織布や、ローラや、ボール等を用いる場合を例示したが、このほか、スポンジのような、グリース５２を含浸できるものを用いることも可能である。
【符号の説明】
【００２７】
１０Ａ、１０Ｂ  ＬＥＤ照明器具
２０  器具本体
２５  凹面
３１  灯具本体（回動体）
３２  凸面
３３  取付面（前面）
３６  ＬＥＤユニット
５１Ａ、５１Ｂ  接触部材
５２  グリース
５３  シール部材
【図１】
2014063608.tif 000003
【図２】
2014063608.tif 000004
【図３】
2014063608.tif 000005
【図４】
2014063608.tif 000006
【図５】
2014063608.tif 000007
【図６】
2014063608.tif 000008